(57)【要約】【課題】  環境の影響も考慮した楽曲の生成装置、システムおよび方法を提供することを目的とする。【解決手段】  楽曲を生成する楽曲生成装置であって、太陽光発電装置から情報を取得し、取得した情報を初期値として楽曲を生成する、楽曲生成装置とする。【選択図】  図１
2017097178.tif 000002
【特許請求の範囲】
【請求項１】
楽曲を生成する楽曲生成装置であって、
太陽光発電装置から情報を取得し、
取得した情報を初期値として楽曲を生成する、楽曲生成装置。
【請求項２】
請求項１に記載の楽曲生成装置であって、
前記太陽光発電装置から取得する情報は発電に関する情報である、楽曲生成装置。
【請求項３】
請求項１に記載の楽曲生成装置であって、
前記太陽光発電装置から取得する情報は数日間の天候の変化に関する情報である、楽曲生成装置。
【請求項４】
請求項１に記載の楽曲生成装置であって、
前記太陽光発電装置から取得する情報は発電に関する情報と数日間の天候の変化に関する情報である、楽曲生成装置。
【請求項５】
楽曲を生成する楽曲生成装置と、
太陽光発電装置と、を備えた楽曲生成システムであって、
前記楽曲生成装置は、
太陽光発電装置から情報を取得し、
取得した情報を初期値として楽曲を生成する、楽曲生成システム。
【請求項６】
楽曲を生成する楽曲生成装置における楽曲生成方法であって、
楽曲生成装置は、
太陽光発電装置から情報を取得し、
取得した情報を初期値として楽曲を生成する、楽曲生成方法。
【発明の詳細な説明】
【技術分野】
【０００１】
本発明は、太陽電池に関する出力から楽曲を生成することができる楽曲生成装置、システムおよび方法に関する。
【背景技術】
【０００２】
リラクゼーションやヒーリングを目的として、音楽を利用することが一般に行われており、特に近年では、個人の好みに応じた楽曲（あらかじめ完成された曲ではない）を生成するためのシステムとして、例えば特許文献１が知られている。
【０００３】
特許文献１には、取得した音データや画像データに基づき、楽曲の生成が行われることが記載されている。
【先行技術文献】
【特許文献】
【０００４】
【特許文献１】特開２００５−２０８１５０号公報
【発明の概要】
【発明が解決しようとする課題】
【０００５】
特許文献１では、ユーザが入力した音データや画像データによって個人の好みに則した、乃至は生体信号による個人の状態に則したユーザオリジナルの楽曲の生成が行われることが記載されている。
【０００６】
しかし、人の気分は天候などの環境の影響を受けると考えられているが、このような影響により人の気分が変化した場合に適した楽曲が生成されない可能性がある。
【０００７】
すなわち、個人が身を置く環境の影響も考慮した楽曲の生成システムについての提案がなされていないのが現状である。
【０００８】
本発明は、上記課題に鑑みてなされたものであって、環境の影響も考慮した楽曲の生成装置、システムおよび方法を提供することを目的とする。
【課題を解決するための手段】
【０００９】
上記課題を解決するため、本発明は、楽曲を生成する楽曲生成装置であって、太陽光発電装置から情報を取得し、取得した情報を初期値として楽曲を生成する、楽曲生成装置とする。
【００１０】
また、太陽光発電装置から取得する情報は発電に関する情報としてもよい。
【００１１】
さらに、太陽光発電装置から取得する情報は数日間の天候の変化に関する情報としてもよい。
【００１２】
加えて、太陽光発電装置から取得する情報は発電に関する情報と数日間の天候の変化に関する情報であるであってもよい。
【００１３】
また、本発明は、楽曲を生成する楽曲生成装置と、太陽光発電装置と、を備えた楽曲生成システムであって、楽曲生成装置は、太陽光発電装置から情報を取得し、取得した情報を初期値として楽曲を生成する楽曲生成システムとする。
【００１４】
また、本発明は、楽曲を生成する楽曲生成装置における楽曲生成方法であって、楽曲生成装置は、太陽光発電装置から情報を取得し、取得した情報を初期値として楽曲を生成する、楽曲生成方法とする。
【発明の効果】
【００１５】
本発明によれば、居住場所の様な個人が身を置く、現時点もしくは一定期間の環境と環境変化の影響も考慮した楽曲の生成装置、システムおよび方法を提供することができる。
【図面の簡単な説明】
【００１６】
【図１】第１実施形態の楽曲生成システムの概略構成図である。
【図２】第１実施形態の楽曲生成装置のブロック図である。
【図３】第１実施形態の楽曲生成方法のフローチャートある。
【図４】第２実施形態の楽曲生成装置のブロック図である。
【図５】第２実施形態の楽曲生成装置のパラメータテーブルの一例を示す図である。
【発明を実施するための形態】
【００１７】
以下に、本発明の実施形態について図面を参照して説明する。
【００１８】
＜第１実施形態＞
（システム構成）
図１は、第１実施形態の楽曲生成システムの概略構成図である。
【００１９】
図１に示す楽曲生成システムでは、楽曲生成装置であるクラウドサーバ１０と、楽曲ステーション１１やスピーカ１２と、太陽電池２０や太陽電池２０に接続されるパワーコンディショナ２１と、パワーコンディショナ２１から情報を取得して表示したり、過去のデータをアーカイブとして保有することができる電力モニタ２２と、電気負荷の使用状況を電力モニタ２２へ伝えるＨＥＭＳ２６と、楽曲ステーション１１や電力モニタ２２と無線通信することができるルータ３１とを備える。
【００２０】
クラウドサーバ１０（楽曲生成装置）は、入力されたパラメータに応じて音楽を生成する。この詳細については後述する。
【００２１】
楽曲ステーション１１は、クラウドサーバ１０からの完成した楽曲の送受信機能と、ｍｐ３やｗａｖｅなどに類する楽曲データを再生するプレーヤ兼アンプ機能を有する。また、スピーカ１２は一般的に市販されるスピーカである。
【００２２】
パワーコンディショナ２１は、太陽電池２０の出力を交流に変換し、系統電力網２５に逆潮流したり、分電盤２３を介して家庭で電力を消費する負荷となる家電機器２４に電力を供給したりする。また、太陽電池２０で発電した電力を計測する機能を有する。
【００２３】
電力モニタ２２は、本システムが設置された家屋の主幹の電力を監視し、電流の方向やその大きさに関する情報を取得する。これにより、系統電力網２５から電力を購入している量と時刻（買電状態）か系統電力網２５に逆潮流を行っている量と時刻（売電状態）、また分電盤からセンサで取得する家庭内で使用している電力量と時刻を把握する機能等も有する。
【００２４】
また、表示部やユーザ操作受け付け部、パワーコンディショナ２１との通信を行う機能等を有しており、ユーザは電力モニタ２２を用いることにより、パワーコンディショナ２
１で取得した情報を確認することができる。さらに、電力モニタ２２はユーザからの操作を受けることができ、パワーコンディショナ２１等の運転制御ができるようになっている。また無線ＬＡＮを介した通信機能を有しており、後述のＨＥＭＳ２６などの外部の機器と連携して動作することができる。
【００２５】
ＨＥＭＳ（Ｈｏｍｅ  Ｅｎｅｒｇｙ  Ｍａｎａｇｅｍｅｎｔ  Ｓｙｓｔｅｍ）２６は、家電機器のコンセント部や分電盤に設けられる電力計測装置（図示しない）等から家電機器（負荷）それぞれの消費電力の情報などを取得し、家電機器の使用状況や使用した時刻などについて把握する機能を備える。
【００２６】
ルータ３１は一般的なルータであり、インターネット３２に接続する機能を有する。また、ＩＥＥＥ８０２．１１規格の無線ＬＡＮ（Ｌｏｃａｌ  Ａｒｅａ  Ｎｅｔｗｏｒｋ）を備えており、楽曲ステーション１１や電力モニタ２２と無線ＬＡＮを利用した通信を行う。
【００２７】
図２は、第１実施形態で使用するクラウドサーバ１０の構成を示すブロック図である。クラウドサーバ１０は、楽曲生成部１０１であるＣＰＵと、パラメータ入力部１０２である入力インタフェースと、出力部１０３である出力インタフェースと、音源記憶部１０４であるメモリと、ＭＩＤＩデータ記憶部である１０６と、楽曲記憶部である１０７と、これらのブロック間で通信を可能とするバスライン１０５とを備える。
【００２８】
ＣＰＵは楽曲生成部１０１の役割を果たすが、これ以外の制御を担ってもよい。
【００２９】
楽曲生成部１０１は、パラメータ入力部１０２から取得したパラメータに応じて、音源記憶部１０４に記憶された楽音やＭＩＤＩファイルデータ記憶部１０６に記憶された音階データやリズムパターンなどを用いて楽曲を生成し、またパラメータ入力部１０２からのパラメータに応じた楽曲のテンポもコントロールする。また出来た楽曲をｍｐ３やｗａｖなどの楽曲ファイルへ変換する。
【００３０】
パラメータ入力部１０２は、インターネット３２を経由してルータ３１と通信を行う通信インタフェースである。
【００３１】
出力部１０３は、楽曲ファイルを外部に出力するインタフェースであって、インターネット３２とルータ３１を経由して楽曲ステーション１１に接続される。
【００３２】
音源記憶部１０４は、ＰＣＭ音源のようなデジタルシンセサイザーの音源やサンプリング音源などの楽音を記憶するものである。
【００３３】
バスライン１０５は、各ブロック間で情報のやり取りを可能とする信号ラインである。
【００３４】
ＭＩＤＩファイルデータ記憶部１０６は、ＭＩＤI形式などによる音階データやリズムパターンを記憶するものである。
【００３５】
楽曲記憶部１０７は、楽曲生成部１０１で生成された楽曲が、そこで楽曲ファイル（ｍｐ３やｗａｖなど）に変換されて記憶されるものである。
【００３６】
（楽曲の生成方法の説明）
図３は、第１実施形態の音楽生成方法のフローチャートある。本実施形態における楽曲の生成方法について、以下に図１〜３を用いて説明する。
【００３７】
日射があり太陽電池２０からの出力がある場合、パワーコンディショナ２１は太陽電池２０の発電電力、電圧、電流等の発電に関する情報を取得することができる。また、発電電力の情報を一定時間にわたり測定し、発電電力量の情報も取得することができる。これら発電に関する情報は日射量に比例して推移するものである。発電に関する情報のうち、いずれを用いてもよく、また１つを用いても複数を用いてもよいが、本実施の形態では発電電力の情報を用いたとして説明を行う。
【００３８】
なお、発電電力情報インプットが本装置の最終アウトプットである楽曲の生成のためのパラメータとなることが、天候などの環境変化に適した楽曲の生成を可能とする所以である。
【００３９】
また、電力モニタ２２は主幹の電力やＨＥＭＳ２６から得られる特定負荷の使用状況も監視する機能も備えるため、家庭内の家電機器による消費電力も主幹電力と発電電力と接続されたセンサから算出及び計測することができる。なお、電力モニタ２２で取得した発電電力の情報は、そのまま電力モニタ２２に蓄えられる。
【００４０】
電力モニタ２２に送信された発電電力の情報は無線送信され、楽曲ステーション１１に送信される。
【００４１】
楽曲ステーション１１からルータ３１を介してクラウドサーバ１０のパラメータ入力部１０２で受信された発電電力の情報は、バスライン１０５を介して楽曲生成部１０１が取得する（Ｓ０１）。
【００４２】
楽曲生成部１０１は、この発電電力の情報を初期値として用い、この初期値と音源記憶部１０４に記憶された楽音やＭＩＤＩファイルデータ記憶部に記憶された音階データやリズムデータを用いることにより楽曲を生成する（Ｓ０２）。
【００４３】
楽曲生成部１０１で生成された楽曲はバスライン１０５を介して出力部１０３に出力され（Ｓ０３）、楽曲ステーション１１を介してスピーカ１２に送信されることより音としてユーザが聞くことができるようになる。
【００４４】
ここで、楽曲生成部１０１が楽曲を生成するための方法について説明する。
【００４５】
楽曲生成部１０１は乱数テーブル（図示しない）を使用し、発電電力の情報と第１の乱数を掛け算することにより第１の初期値を生成する。また、発電量の情報と第２の乱数を掛け算することにより第２の初期値も生成する。
【００４６】
次に楽曲生成部１０１は、この第１の初期値に対応する楽音を音源記憶部１０４から抽出し、基本的なメロディラインを生成する。
【００４７】
さらに、楽曲生成部１０１は第２の初期値に対応するリズムパターンを抽出し、抽出したリズムパターンを利用して、先に生成したメロディラインのリズムを変更する。
【００４８】
以上の方法により、本実施形態の音楽生成システムでは、天候と関連性の高い発電に関する情報を用いて音楽を生成することができる。天候と人の気分には関連性があると言われているため、ユーザは特別な操作を行うことなしに、気分に適した楽曲を聞くことが可能となる。
【００４９】
なお、発電電力の情報は、一定の時間毎に音楽生成装置に入力され、一定間毎に生成される楽曲が変更されるようにしてもよく、また、常時入力されるようにし、それに応じて
楽曲が変更されるようにしてもよい。
【００５０】
また本実施形態では、パワーコンディショナ２１の出力が電力モニタ２２に出力される構成としているが、パワーコンディショナ２１から直接取得できるように構成してもよい。
【００５１】
さらに、本実施形態の音楽生成システムはパワーコンディショナから売電量の情報やＨＥＭＳ２６からの家庭内機器の消費電力の情報を取得し、これを用いた楽曲を生成するようにしてもよい。
【００５２】
なお、電力モニタ もしくはサーバ側からの時刻情報から現時刻を検知し、その時刻に適した楽曲を生成するようにしてもよい。
【００５３】
また、上記に加え、ユーザが直接インターネットに接続できる機器（携帯端末）３３でクラウドサーバ１０へアクセスし、予め設定した楽曲の好み（ジャンル，テンポ，編成，音色，好みのアーチスト/作曲家など）の選択結果パラメータの送信、位置情報（土地柄の流行や曲調の好みを反映）の送信をクラウドサーバ１０へ行ってもいい。これらを好みの情報という。この好み情報をクラウドサーバ１０は保持し、楽曲生成部１０１はこれらの情報も用いて楽曲を生成するようにしてもよい。
【００５４】
＜第２実施形態＞
図４は、第２実施形態の音楽生成装置のブロック図である。また図５は、第２実施形態の音楽生成装置のパラメータテーブルの一例を示す図である。
【００５５】
本実施形態は、基本的な構成は第１実施形態と同一である。そして第１実施形態との違いは、図４に示すように、楽曲ステーション１１にパラメータテーブル１０８が設けられる点である。
【００５６】
電力モニタ２２はパワーコンディショナ２１の発電に関する情報を長期間にわたって保持する機能を持っている。また発電に関する情報から、各日における天気の情報も把握することができる。
【００５７】
楽曲ステーション１１は電力モニタ２２と通信することにより、長期間（数日間、数ヶ月、年間等）の太陽電池２０の発電に関する情報や天気の情報を取得することができる。
【００５８】
以下では、一例として、長期間の発電に関する情報として、当日も含む３日間の天気データを用いる場合で説明を行う。
【００５９】
パラメータテーブル１０８は、簡略化すると図５に示すように前々日、前日、当日の天気の組み合わせと、それぞれの組み合わせに応じてＭＩＤＩファイルデータ記憶部１０６からのデータ選択のための初期値Ａと、音源記憶部１０４からのデータ選択のための初期値Ｂとが記憶されている。なお、初期値Ａおよび初期値Ｂの数値に幅があるのは、組合せパターンに幅を持たせ最終的に生成される楽曲が様々なものになるようにするためである。
【００６０】
楽曲生成部１０１は、天気に関する情報をパラメータ入力部１０２から取得し、パラメータテーブル１０８を参照して、取得した天気に関する情報に対応するＭＩＤＩファイルデータＡおよび音源Ｂにそれぞれ乱数を掛け算し、第１の初期値および第２の初期値を生成する。
【００６１】
以後の処理については実施形態１と同様である。
【００６２】
このように、本実施形態では、長期間における発電に関する情報の推移を、楽曲生成のためのパラメータとして用いている。
【００６３】
このため、より長期間における天候の変化の影響をも考慮した楽曲の提供が可能となる。
【００６４】
なお、本実施形態の長期間における天候の変化と、現在の発電に関する情報とを組み合わせ、初期値を生成するようにしてもよいことは言うまでもない。
【００６５】
＜第３実施形態＞
本実施形態は、基本的な構成は第１実施形態と同一である。そして第１実施形態との違いは、パワーコンディショナ２１の発電に関する情報に加え、気温計、湿度計などの気象センサ（図示しない）の情報もさらに用いて楽曲を生成する構成となっている点である。
【００６６】
これにより、より詳しくユーザのおかれた環境に関する情報を反映した楽曲の提供が可能となる。
【００６７】
今回開示された実施形態は例示であって、上記内容のみに制限されるものではなく、適宜組み合わせてもよく、変更してもよい。
【００６８】
これにより、たとえば、実施形態１と実施形態２とを組み合わせることにより、現状と長期間における天候を考慮した楽曲の提供が可能となる。
【符号の説明】
【００６９】
１０  クラウドサーバ（楽曲生成装置）
１１  楽曲ステーション
１２  スピーカ
２０  太陽電池
２１  パワーコンディショナ
２２  電力モニタ
２３  分電盤
２４  家電機器
２５  系統電力網
２６  ＨＥＭＳ
３１  ルータ
３２  インターネット
３３  インターネットに接続できる機器
１０１  楽曲生成部
１０２  パラメータ入力部
１０３  出力部
１０４  音源記憶部
１０５  バスライン
１０６  ＭＩＤＩファイルデータ記憶部
１０７  楽曲記憶部
１０８  パラメータテーブル
【図１】
2017097178.tif 000003
【図２】
2017097178.tif 000004
【図３】
2017097178.tif 000005
【図４】
2017097178.tif 000006
【図５】
2017097178.tif 000007